(57)【特許請求の範囲】
【請求項１】
液体を収容する液体収容体を支持可能なカートリッジケースであって、
第一方向に延びる第一面を備えたケースと、
前記ケースにおける前記第一方向の端部側に設けられ、前記液体収容体に設けられる口栓を支持する口栓支持部と、
前記第一方向の反対方向である第二方向に延び、前記第一方向に付勢力を生じる弾性部材の前記第一方向側の端部が装着される、前記ケースの前記端部側に設けられた装着部と、
前記第一面に平行且つ前記第一方向と直交する直交方向に延び、前記弾性部材の前記付勢力により前記第一方向に付勢されて前記第一方向に移動し、前記液体収容体を巻き取る巻取部材と、
前記ケースの前記第一方向の端部側における前記第一方向への前記巻取部材の移動の抵抗であって、前記弾性部材と別に設けられ、前記第一方向への前記巻取部材の移動に応じて抵抗が増加する抵抗部と
を備え、
前記巻取部材は軸部を備え、
前記抵抗部は、前記巻取部材が前記第一方向に移動する経路において前記軸部が接触する接触部に設けられたことを特徴とするカートリッジケース。
【請求項２】
前記抵抗部は、前記接触部に設けられた凹凸であることを特徴とする請求項１に記載のカートリッジケース。
【請求項３】
前記軸部には、前記接触部に設けられた前記凹凸に噛み合う凹凸が設けられていることを特徴とする請求項２に記載のカートリッジケース。
【請求項４】
前記軸部の転がる転がり面を備え、
前記軸部の中心から前記転がり面に向かう方向である上から下へ向かう方向から、前記抵抗部は、前記軸部に接触することを特徴とする請求項１〜３の何れかに記載のカートリッジケース。
【請求項５】
前記転がり面は、前記第一方向に伸びるラックであり、
前記軸部は、前記直交方向に直交する断面の外周形状が円形であり、
前記接触部は、前記ラックと反対側において前記軸部と接触することを特徴とする請求項４に記載のカートリッジケース。
【請求項６】
前記抵抗部は、前記第一方向に向けて抵抗が増加することを特徴とする請求項１〜５の何れかに記載のカートリッジケース。
【請求項７】
前記直交方向の端部側に配置され、前記第一方向に延びる側板部と、
前記側板部における前記第一方向の端部側に設けられ、前記第一方向へ移動する前記巻取部材の前記軸部と接触することにより、前記第一方向および前記直交方向に直交する第三方向に移動し、前記巻取部材の位置を表示する表示部と、
を備え、
前記接触部は、前記側板部の前記第一面側の面であることを特徴とする請求項１〜６の何れかに記載のカートリッジケース。
【請求項８】
前記第一面に対向する第二面を備え、
前記抵抗部は前記第二面に設けられ、
前記巻取部材に巻き取られた前記液体収容体の外周面が前記第二面に設けられた前記抵抗部に接触することを特徴とする請求項１〜７の何れかに記載のカートリッジケース。
【発明の詳細な説明】
【技術分野】
【０００１】
本発明は、液体を収容する液体収容体を収納可能なカートリッジケースに関する。
【背景技術】
【０００２】
従来、液体を収容する液体収容体を収納可能なカートリッジケースが知られている。例えば、特許文献１には、インクジェット記録装置の記録ヘッドにインクを供給するインクタンクが開示されている。インクタンクはカートリッジケースの一例である。特許文献１の実施例２に記載のインクタンクは、インク袋、ケース、及び巻取部材を備えている。インク袋は液体であるインクを収容し、変形可能である。ケースはインク袋を収納し、インクジェット記録装置に着脱可能である。巻取部材は、ケース内に配置され、インク袋を巻き取り可能である。インクジェット記録装置は、巻取力発生手段としてのバネを備える。インクタンクがインクジェット記録装置に挿入されることにより、巻取力発生手段と巻取部材が接合され、バネの付勢力により巻取部材がインク袋を巻き取る。従って、インク袋のインクが加圧される。
【先行技術文献】
【特許文献】
【０００３】
【特許文献１】特開２０１０−１０５１９５号公報
【発明の概要】
【発明が解決しようとする課題】
【０００４】
特許文献１に開示されるインクタンクにおいてインクの消費が進むと、インク袋の巻き取り方向と直交する方向のインク袋の横断面積が小さくなる。巻取部材がインク袋内のインクへ与える圧力は、単位横断面積当たりのバネの付勢力である。従って、インク袋の横断面積が小さくなると、バネの付勢力が一定であってもインクの圧力が増加する。インクの圧力が増加すると、記録ヘッドへのインクの供給力が増加し、インクの吐出量が不安定になる。従って、インクの吐出むらにより印刷の画質が低下する可能性がある。
【０００５】
本発明の目的は、液体の圧力の変動を低減し、液体の吐出量が安定でき、印刷の画質の低下を低減可能なカートリッジケースを提供することである。
【課題を解決するための手段】
【０００６】
本発明の第一態様に係るカートリッジケースは、液体を収容する液体収容体を支持可能なカートリッジケースであって、第一方向に延びる第一面を備えたケースと、前記ケースにおける前記第一方向の端部側に設けられ、前記液体収容体に設けられる口栓を支持する口栓支持部と、前記第一方向の反対方向である第二方向に延び、前記第一方向に付勢力を生じる弾性部材の前記第一方向側の端部が装着される、前記ケースの前記端部側に設けられた装着部と、前記第一面に平行且つ前記第一方向と直交する直交方向に延び、前記弾性部材の前記付勢力により前記第一方向に付勢されて前記第一方向に移動し、前記液体収容体を巻き取る巻取部材と、前記ケースの前記第一方向の端部側における前記第一方向への前記巻取部材の移動の抵抗であって、前記弾性部材と別に設けられ、前記第一方向への前記巻取部材の移動に応じて抵抗が増加する抵抗部とを備え、前記巻取部材は軸部を備え、前記抵抗部は、前記巻取部材が前記第一方向に移動する経路において前記軸部が接触する接触部に設けられている。
【０００７】
上記カートリッジケースにおいて、巻取部材の第一方向への移動に応じて抵抗部の抵抗が増加する。従って、弾性部材の付勢力によって第一方向に移動する巻取部材から液体収容体へ作用する第一方向の力が、抵抗部が設けられていない場合よりも小さくなる。巻取部材による液体収容体の巻き取りが進み、液体収容体の横断面積が小さくなっても、液体の圧力が増加するおそれを低減でき、液体の圧力が安定する。従って、液体の吐出量が不安定になるおそれを低減できる。従って、印刷の画質の低下を低減可能である。
【０００８】
前記抵抗部は、前記接触部に設けられた凹凸であってもよい。前記軸部には、前記接触部に設けられた前記凹凸に噛み合う凹凸が設けられていてもよい。
【０００９】
前記軸部の転がる転がり面を備え、前記軸部の中心から前記転がり面に向かう方向である上から下へ向かう方向から、前記抵抗部は、前記軸部に接触するようにしてもよい。前記転がり面は、前記第一方向に伸びるラックであり、前記軸部は、前記直交方向に直交する断面の外周形状が円形であり、前記接触部は、前記ラックと反対側において前記軸部と接触するようにしてもよい。前記抵抗部は、前記第一方向に向けて抵抗が増加するようにしてもよい。
【００１０】
前記直交方向の端部側に配置され、前記第一方向に延びる側板部と、前記側板部における前記第一方向の端部側に設けられ、前記第一方向へ移動する前記巻取部材の前記軸部と接触することにより、前記第一方向および前記直交方向に直交する第三方向に移動し、前記巻取部材の位置を表示する表示部とを備え、前記接触部は、前記側板部の前記第一面側の面であるようにしてもよい。
【００１１】
前記第一面に対向する第二面を備え、前記抵抗部は前記第二面に設けられ、前記巻取部材に巻き取られた前記液体収容体の外周面が前記第二面に設けられた前記抵抗部に接触するようにしてもよい。
【図面の簡単な説明】
【００１２】
【図１】第一実施形態のプリンタ１の斜視図である。
【図２】第二ケース６０が閉鎖位置にあるカートリッジケース３を斜め上方から見た斜視図である。
【図３】第二ケース６０が開放位置にあるカートリッジケース３を斜め上方から見た斜視図である。
【図４】液体収容体３１の平面図である。
【図５】ケース３２の分解斜視図である。
【図６】第二ケース６０が閉鎖位置にあるカートリッジケース３を斜め下方から見た斜視図である。
【図７】図２のＡ−Ａ線矢視方向断面図である。
【図８】第一ケース３３の前端側の斜視図である。
【図９】（Ａ）は、軸支部４３１，４３２の正面図である。（Ｂ）は、（Ａ）のＸ−Ｘ線矢視方向断面図である。
【図１０】（Ａ）は、第一側板部４７の左側面図である。（Ｂ）は、第一側板部４７の底面図である。
【図１１】第一側板部４７の部分拡大図である。
【図１２】（Ａ）は、未使用の液体収容体３１が装着された第一状態に於けるカートリッジケース３の図２のＸ１−Ｘ１線矢視方向断面図である。（Ｂ）は、第一状態に於けるカートリッジケース３の図２のＸ２−Ｘ２線における矢視方向断面図である。
【図１３】（Ａ）は、第二状態に於けるカートリッジケース３の図２のＸ１−Ｘ１線矢視方向断面図である。（Ｂ）は、第二状態に於けるカートリッジケース３の図２のＸ２−Ｘ２線における矢視方向断面図である。
【図１４】（Ａ）は、第三状態に於けるカートリッジケース３の図２のＸ１−Ｘ１線矢視方向断面図である。（Ｂ）は、第三状態に於けるカートリッジケース３の図２のＸ２−Ｘ２線における矢視方向断面図である。
【図１５】（Ａ）は、第四状態に於けるカートリッジケース３の図２のＸ１−Ｘ１線矢視方向断面図である。（Ｂ）は、第四状態に於けるカートリッジケース３の図２のＸ２−Ｘ２線における矢視方向断面図である。
【図１６】第二実施形態の図２のＸ２−Ｘ２線におけるカートリッジケース３の矢視方向の断面図である。
【発明を実施するための形態】
【００１３】
本発明の第一実施形態であるプリンタ１を、図面を参照して説明する。図１を参照して、プリンタ１の概略構成を説明する。以下では、図１の上方、下方、右下方、左上方、右上方、及び左下方を、各々、プリンタ１の上方、下方、右方、左方、後方、及び前方と定義して説明する。
【００１４】
図１に示すように、プリンタ１は印刷媒体であるＴシャツ等の布帛（図示外）に対して、液体であるインクを吐出して印刷するインクジェットプリンタである。印刷媒体は、紙等でもよい。プリンタ１は、互いに異なる５種のインク（ホワイト（Ｗ）、ブラック（Ｋ）、イエロー（Ｙ）、シアン（Ｃ）、及びマンタ（Ｍ））を下方へ向けて吐出することで、印刷媒体にカラー画像を印刷できる。
【００１５】
プリンタ１は、筐体２、プラテン駆動機構６、プラテン５、トレイ４、枠体１０、ガイドシャフト９、レール１１、キャリッジ２０、支持部（図示略）、ヘッドユニット１００，２００、駆動ベルト１０１、及び駆動モータ１９を備える。筐体２は、略直方体状である。筐体２の右部の前側に、プリンタ１の操作を行うための操作部（図示略）が設けられている。操作部は、ディスプレイ及び操作ボタンを備える。ディスプレイは、各種情報を表示する。
【００１６】
プラテン駆動機構６は、後端部に設けられたモータ（図示外）を駆動源として、プラテン５及びトレイ４を、一対のガイドレール（図示略）に沿って筐体２の前後方向に移動させる。プラテン５は、平面視長方形状の板状である。プラテン５の上面に、例えばＴシャツ等の布帛である印刷媒体が載置される。トレイ４は、平面視矩形状であり、プラテン５の下方に設けられている。
【００１７】
枠体１０は、平面視長方形状の枠状である。枠体１０は、筐体２の上部に設置される。枠体１０は、ガイドシャフト９と、レール１１とを内側において夫々支持する。キャリッジ２０は、ガイドシャフト９に沿って左右方向に搬送可能に支持されている。ヘッドユニット１００，２００は、キャリッジ２０に搭載される。ヘッドユニット１００，２００夫々の底面に、ヘッド部（図示略）が設けられている。ヘッド部は複数個の微細なノズルを備えており、圧電素子の駆動によりノズルから下向きにインクの液滴を吐出する。
【００１８】
駆動ベルト１０１は、枠体１０の内側において、左右方向に沿って架け渡される帯状である。駆動モータ１９は、正逆回転可能であり、駆動ベルト１０１を介して、キャリッジ２０と連結されている。プラテン５が印刷媒体を前後方向（搬送方向、副走査方向）に搬送しながら、駆動モータ１９の駆動により左右方向に往復移動するヘッド部からインクが吐出されることで、プリンタ１による印刷媒体への印刷が行われる。
【００１９】
プリンタ１の右側に、カートリッジ装着部８が設けられている。ヘッドユニット１００，２００の夫々のヘッド部に、カートリッジ装着部８に装着されたカートリッジケース３からインクが供給される。カートリッジ装着部８に、複数のカートリッジケース３をセット可能である。カートリッジ装着部８に、例えば、最大６つのカートリッジケース３がセット可能である。カートリッジ装着部８の前部に設けられた枠部３８に、上下方向に３列、左右方向に２列の開口部１２０が設けられている。開口部１２０は、カートリッジケース３を出し入れ可能である。ゴム栓（図示略）が、カートリッジケース３に収容された液体収容体３１の口栓７（図２参照）に配置される。カートリッジケース３がカートリッジ装着部８に装着されると、ゴム栓に、液体収容体３１から液体を導出するための中空針（図示略）が刺さる。これによって、カートリッジケース３はカートリッジ装着部８にセットされる。
【００２０】
＜カートリッジケース３＞
以下では、図２の上方、下方、右下方、左上方、右上方、及び左下方を、各々、カートリッジケース３の上方、下方、前方、後方、右方、及び左方と定義して説明する。カートリッジケース３の後方から前方に向かう方向を第一方向、第一方向の反対方向である前方から後方に向かう方向を第二方向とも言う。図３に示すように、カートリッジケース３は、液体収容体３１、及び、液体収容体３１を内部に収容するケース３２を備えている。
【００２１】
図４に示すように、液体収容体３１は液体収容袋１３及び口栓７を備えている。液体収容袋１３は、可撓性を有する長方形状の樹脂性の二枚のシート１３Ａ，１３Ｂを、夫々の一面同士が対向した状態で重ね合わせ、周縁部分を熱溶着又は熱シールによって接続することで形成された袋状の容器である。液体収容袋１３は前後方向に延びる。以下の説明において、液体収容袋１３の前端部を第一端部１３１という。液体収容袋１３の後端部を第二端部１３２という。
【００２２】
液体収容袋１３は、液体収容部１３３、及び延伸部１３４を備えている。液体収容部１３３の内部に、液体が収容される。液体としては、インク、及び、布帛が染められた色を脱色する抜染材等、種々の液体が用いられる。本実施形態の液体はインクである。延伸部１３４は、液体収容袋１３におけるインクを収容しない部位である。延伸部１３４は、液体収容袋１３の第二端部１３２に設けられ、且つ液体収容部１３３から後方向に延びる。第一端部１３１におけるシート１３Ａ，１３Ｂの間に、口栓７の挿通部７６が挿通されている。第一端部１３１に、挿通部７６に沿って湾曲することでシート１３Ａ，１３Ｂが互いに離れる方向（上下方向）に湾曲して形成された湾曲領域１４６が設けられている。湾曲領域１４６は、挿通部７６よりも後方向に延びる。
【００２３】
口栓７は、液体収容袋１３の第一端部１３１に接続され、前後方向に延びる円筒状である。口栓７の内部に配置されたゴム栓によって、液体収容部１３３内のインクが漏れないように封止されている。挿通部７６は、口栓７の後端部に設けられている。挿通部７６は、前後方向に延びる円筒状であり、二枚のシート１３Ａ，１３Ｂの間に配置されて液体収容部１３３の内部に挿通される。シート１３Ａ，１３Ｂは、挿通部７６に熱溶着される。
【００２４】
＜ケース３２＞
図２及び図３に示すように、ケース３２は、前後方向に長い箱状の外観を有する。ケース３２は、第一ケース３３、第二ケース６０、巻取部材４３、弾性部材４５、検出部４６（図５参照）、切替部材２０５（図５参照）等を備えている。第一ケース３３は、液体収容体３１を支持する。第二ケース６０は、第一ケース３３の上側に配置される。第二ケース６０は、第一ケース３３に対して前後方向にスライド移動可能である。図２に示すように、第二ケース６０が前方にスライドして、第一ケース３３の上方が閉鎖される位置を閉鎖位置という。図３に示すように、第二ケース６０が後方にスライドして、第一ケース３３の上方が開放される位置を開放位置という。
【００２５】
＜第一ケース３３＞
図５に示すように、第一ケース３３は、支持壁部３４、口栓支持部３７、一対の側壁５１，５２、前壁部３３３、及び後壁部３３４等を備えている。支持壁部３４は、前後左右方向に延びる壁部であり、且つ前後方向に長い矩形状である。支持壁部３４の上面を第一内面３４４という。すなわち、第一方向、および第二方向は、第一内面３４４が伸びる前後方向、および左右方向のうち、第一内面３４４の長さが長い方の前後方向である。第一方向は、口栓支持部３７に向かう方向である前方向であって、第二方向は、口栓支持部３７から遠ざかる後ろ方向である。一対の側壁５１，５２は夫々、支持壁部３４の左辺部及び右辺部から上方に延びる、第一ケース３３の左右両側の側壁である。後壁部３３４は、支持壁部３４の後端部３１０に沿って上方に延びる、第一ケース３３の後側の側壁である。
【００２６】
図５、図７及び図８に示すように、左側の側壁５１は、第一部位５１１、第二部位５１２、第三部位５１３、及び下支持部５１４を備えている。第一部位５１１は、第一内面３４４の左辺部から上方に延びる、側壁５１の下側部分を構成する壁部である。第二部位５１２は、第一部位５１１の上端から左方に突出する部位である。第三部位５１３は、第二部位５１２の左端部から上方に延びる、側壁５１の上側部分を構成する壁部である。
【００２７】
右側の側壁５２は、第一部位５２１、第二部位５２２、第三部位５２３、及び下支持部５２４を備えている。第一部位５２１は第一内面３４４の右辺部から上方に延びる、側壁５２の下側部分を構成する壁部である。第二部位５２２は、第一部位５２１の上端から右方に突出する部位である。第三部位５２３は、第二部位５２２の右端部から上方に延びる、側壁５２の上側部分を構成する壁部である。第二部位５２２の後端部には、第二部位５２２から上方に突出する壁部である規制壁（図示外）が設けられている。
【００２８】
下支持部５１４，５２４は、互いに左右対称に設けられた、上向きに配置された複数の歯が前後方向に連続して並ぶラックギアである。下支持部５１４は、第二部位５１２の右縁部に設けられている。下支持部５２４は、第二部位５２２の左縁部に設けられている（図５参照）。下支持部５１４，５２４は夫々、後壁部３３４の若干前側から口栓支持部３７の若干後側まで延びている。
【００２９】
図８に示すように、支持壁部３４の前端部３００に、正面視矩形状の前壁部３３３が設けられている。前壁部３３３は、第一内面３４４の前端部における左右方向中央から、第一部位５１１，５２１の上端部と略同じ高さ位置まで上方に延びている。前壁部３３３の左右方向中央には、前壁部３３３の上辺部から円弧状に下方に凹む部位である逃がし部３３３Ａが形成されている。
【００３０】
図６に示すように、第一外面３４５には、上方に凹む二つの溝部３６１，３６２が設けられている。溝部３６１は、前壁部３３３の左側に設けられ、支持壁部３４の前端部から後端部のやや前側まで延びる。溝部３６２は、前壁部３３３の右側に設けられ、支持壁部３４の前端部から後端部のやや前側まで延びる。第一内面３４４における溝部３６１，３６２の上側の部位は、上方に突出して前後方向に延びる突出部３６３，３６４である（図７参照）。突出部３６３，３６４の上面には板状ゴムである滑止部材３６０が夫々貼り付けられている。
【００３１】
図５及び図８に示すように、口栓支持部３７は、支持壁部３４の前縁部に設けられた、口栓７を支持する部位であり、第一支持部３４６、及び第二支持部３４７を備えている。第一支持部３４６は、前壁部３３３の後方に設けられている。第一支持部３４６は、第一内面３４４から上方に突出した、平面視でＴ字状の板状部材である。第二支持部３４７は、第一支持部３４６の後側、且つ二つの溝部３６１，３６２の間に設けられている。第二支持部３４７は、支持壁部３４から上方に延びる左右方向に長い壁部である。第二支持部３４７の上辺部から略半円状に下方に凹んだ凹部３４８が設けられている。凹部３４８は、正面視で逃がし部３３３Ａよりも若干上側にある。
【００３２】
図５及び図７に示すように、ケース凹部３３５は、突出部３６３，３６４の間の下方に凹む凹部である。ケース凹部３３５は、口栓支持部３７の後側から支持壁部３４の後端部の前側まで延びる。図６に示すように、ケース凹部３３５（図５参照）における口栓支持部３７（図５び図８参照）の後側に、装着開口部３３９が設けられている。装着開口部３３９は、支持壁部３４を上下方向に貫通する開口部である。装着開口部３３９の若干上側に、二つの凸部３３７を備えた装着板（図示外）が設けられている。二つの凸部３３７は、底面視で装着開口部３３９から露出し、且つ装着板（図示外）から左右に並んで下方に突出する。
【００３３】
図５及び図８示すように、第二支持部３４７の左右両側に、係止壁３８８，３８９が設けられている。係止壁３８８は、第一内面３４４から上方に延び、且つ第二支持部３４７と第一部位５１１との間を左右方向に延びる。係止壁３８９は、第一内面３４４から上方に延び、且つ第二支持部３４７と第一部位５２１との間を左右方向に延びる。係止壁３８８，３８９に、保持部３９８が設けられる。保持部３９８は、係止壁３８８の右端部及び係止壁３８９の左端部から夫々後方に延びる一対の板状体であり、後述の付勢部材２３０が固定される。図５に示すように、後壁部３３４に、保持部３９９が設けられている。保持部３９９は、後壁部３３４の左右方向中央部から前方に突出する一対の板状体であり、後述の付勢部材２４０が固定される。
【００３４】
図５に示すように、係止壁３８９の右端部上側に、スリット３５５が設けられている。第一部位５２１の後端部左側にも、スリット３５５が設けられている。これらのスリット３５５は、それぞれ押え板２２０の前端部、および後端部を上下移動可能に支持する。図示しないが、係止壁３８８の左端部上側に、スリットが設けられている。第一部位５１１の後端部右側にも、スリットが設けられている。これらのスリットは、それぞれ押え板２１０の前端部、および後端部を上下移動可能に支持する。
【００３５】
＜切替部材２０５＞
図５に示すように、切替部材２０５は押え板２１０，２２０及び付勢部材２３０，２４０を有する。押え板２１０は、上下前後方向に延びる枠状板である。押え板２１０の上下方向長さは、側壁５１の上下方向長さよりも若干短い。押え板２１０の前後方向長さは、後壁部３３４から係止壁３８８までの前後方向距離と略等しい。押え板２１０に、スライド開口２１２、上支持部２１３、退避部２１４及び退避部２１５が設けられている。
【００３６】
スライド開口２１２は、側面視で押え板２１０の内側に設けられた、前後方向に延びる略矩形状の開口部である。スライド開口２１２は、押え板２１０を左右方向に貫通し、且つ押え板２１０の後端縁から前端縁まで延びている。スライド開口２１２の上辺部及び下辺部は、上下方向に対向して略平行に延びている。スライド開口２１２の上辺部のうちで、スライド開口２１２の前後方向両端部を除いた部位に、上支持部２１３が設けられている。
【００３７】
上支持部２１３は、下向きに配置された複数の歯が前後方向に連続して並ぶラックギアである。スライド開口２１２の下辺部から上支持部２１３までの上下方向距離は、後述の軸支部４３１の回転ギア４３１Ａ（図９（Ａ）参照）の直径Ｄ１よりも若干大きい。スライド開口２１２の前後方向両端部に、退避部２１４，２１５が夫々設けられている。退避部２１４，２１５におけるスライド開口２１２の上辺部は、上支持部２１３よりも上方にある。退避部２１４，２１５の上下方向長さ及び左右方向長さは、何れも回転ギア４３１Ａの直径Ｄ１よりも若干大きい。軸支部４３１の回転ギア４３１Ａは、スライド開口２１２内を貫通して、下支持部５１４のラックギアに噛み合って転がる。従って、軸支部４３１はスライド開口２１２内を前後方向に移動可能である。
【００３８】
押え板２２０は、押え板２１０と同一部材であり、スライド開口２２２、上支持部２２３、退避部２２４及び退避部２２５が設けられている。従って、軸支部４３２の回転ギア４３２Ａは、スライド開口２１２内を貫通して、下支持部５２４のラックギアに噛み合って転がる。従って、軸支部４３２はスライド開口２２２を前後方向に移動可能である。
【００３９】
付勢部材２３０，２４０は、押え板２１０，２２０を第一ケース３３に取り付けるための部材である。付勢部材２３０，２４０は、左右方向に延びる同一の板バネであり、夫々保持部３９８，３９９に対して取り付けられる。付勢部材２３０の中央部には、前方に突出する固定用突起２３１が設けられている。付勢部材２４０の中央部には、後方に突出する固定用突起２４１が設けられている。
【００４０】
図５及び図７に示すように、押え板２１０は、第一部位５１１の右面に沿って、後壁部３３４と係止壁３８８との間に配置される。押え板２２０は、第一部位５２１の左面に沿って、後壁部３３４と係止壁３８９との間に配置される。これにより、押え板２１０，２２０は夫々、第一部位５１１，５２１と左右方向に並んで配置される。
【００４１】
固定用突起２３１が保持部３９８に係止されることで、付勢部材２３０は左右方向にずれないように位置決めされる。図示外の固定部材により、付勢部材２３０は前後方向にずれないように位置決めされる。付勢部材２３０の左右方向の両端部は、押え板２１０，２２０に夫々形成された係止孔２１７，２２７に挿入される。
【００４２】
固定用突起２４１が保持部３９９に係止されることで、付勢部材２４０は左右方向にずれないように位置決めされる。図示外の固定部材により、付勢部材２４０は前後方向にずれないように位置決めされる。付勢部材２４０の左右方向の両端部は、押え板２１０，２２０に夫々形成された係止孔２１８，２２８に挿入される。
【００４３】
＜巻取部材４３＞
図５及び図７に示すように、巻取部材４３は、軸本体４３０、軸支部４３１，４３２、及び連結軸４３６を備える。軸本体４３０は、左右方向に延びる円筒状である。軸本体４３０は、外周面４３３、軸凹部４３４、及び軸孔４３５を備える。外周面４３３に滑り止め加工が施されてもよい。滑り止め加工は、外周面４３３を滑り止め用の樹脂シートで覆ったり、外周面４３３に滑り止め用の表面加工を施こしたり、軸本体４３０自体ゴム等の弾性部材でもよい。なお、外周面４３３に滑り止め加工が施されていなくてもよい。
【００４４】
軸凹部４３４は、外周面４３３の左右方向中央部に設けられ、外周面４３３よりも軸本体４３０の内側に若干凹む溝状である。軸孔４３５は、軸本体４３０の断面中心（回転中心）を左右方向に貫通する孔である。連結軸４３６は、軸孔４３５に挿通されている。軸孔４３５に挿通された連結軸４３６の両端部は、軸孔４３５から左右両側に突出する。軸本体４３０は、軸孔４３５に挿通された連結軸４３６の周りで回転可能である。
【００４５】
図９（Ａ）及（Ｂ）に示すように、軸支部４３１，４３２は夫々、軸本体４３０（図５参照）の左右両端に設けられ、且つ軸本体４３０の回転中心と略同軸の部材である。軸支部４３１は、回転ギア４３１Ａ及び軸部４３１Ｂを備える。図９（Ａ）及び（Ｂ）に示すように、回転ギア４３１Ａは、下支持部５１４及び押え板２１０の上支持部２１３に噛み合うことが可能な複数の歯が周方向に形成された円盤状のギアであり、例えばピニオンギアである。回転ギア４３１Ａの回転中心に形成された連結孔４３１Ｄに連結軸４３６の左端部が挿入され、連結軸４３６が軸支部４３１に固定されている。軸部４３１Ｂは、回転ギア４３１Ａから左方に突出する、回転ギア４３１Ａよりも小径の円柱体である。
【００４６】
同様に軸支部４３２は、回転ギア４３２Ａ及び軸部４３２Ｂを備える。回転ギア４３２Ａは、下支持部５２４及び押え板２２０の上支持部２２３に噛み合うことが可能な複数の歯が周方向に形成された円盤状のギアであり、例えばピニオンギアである。回転ギア４３２Ａの回転中心に形成された連結孔４３２Ｄに連結軸４３６の右端部が挿入され連結軸４３６が軸支部４３２に固定されている。軸部４３２Ｂは、回転ギア４３２Ａから右方に突出する、回転ギア４３２Ａよりも小径の円柱体である。軸部４３２Ｂの縦断面の外周形状は、一例として、円形である。また、軸部４３２Ｂは凹凸を備えてもよく、縦断面の外周形状は、略円形であるが、円形として説明する。すなわち、軸部４３２Ｂが、転がる形状を有していればよく、その形状を円形として説明する。従って、軸部４３２Ｂの縦断面の外周形状は楕円形でもよい。
【００４７】
図７に示すように、第一ケース３３内では、軸本体４３０が押え板２１０，２２０の間に配置される。下支持部５１４は、スライド開口２１２を介して右側に露出している。軸支部４３１は、軸本体４３０の左端から側壁５１に向けて左方に突出して、スライド開口２１２に右側から挿入されている。回転ギア４３１Ａは、スライド開口２１２内に配置され、かつ下支持部５１４に対して噛み合っている。第二部位５１２の上面に、前後方向に延びるリブ５１５が設けられている。軸部４３１Ｂは、リブ５１５の上側に配置されている。
【００４８】
同様に、下支持部５２４は、スライド開口２２２を介して左側に露出している。軸支部４３２は、軸本体４３０の右端から側壁５２に向けて右方に突出して、スライド開口２２２に左側から挿入されている。回転ギア４３２Ａは、スライド開口２２２内に配置された状態で、下支持部５２４に対して噛み合っている。第二部位５２２の上面に、前後方向に延びるリブ５２５が設けられている。軸部４３２Ｂは、リブ５２５の上側に配置されている。これにより巻取部材４３は、外周面４３３が第一内面３４４よりも若干上側にある状態で、リブ５１５，５２５によって下方から支持される。回転ギア４３１Ａ，４３２Ａは、僅かにバックラッシがある状態で下支持部５１４，５２４に夫々噛み合っているため、巻取部材４３の移動に伴って滑らかに回転可能である。
【００４９】
＜弾性部材４５＞
図３及び図５に示すように、弾性部材４５は、ケース凹部３３５の内側に配置された、定荷重又は変動荷重の板バネである。弾性部材４５の前端部４５０に、左右方向に並ぶ二つの丸孔部４５１が設けられている。ケース凹部３３５に配置された弾性部材４５の前端部４５０は、装着板（図示外）と装着開口部３３９（図６参照）との隙間に後方から挿入される。二つの凸部３３７が二つの丸孔部４５１内に嵌め込まれることで、弾性部材４５の前端部４５０は装着開口部３３９に固定される（図６参照）。装着板（図示外）から後方に延びる弾性部材４５の後端部は、巻取部材４３の軸凹部４３４に巻回される。弾性部材４５は、前方に復元力を生じるように付勢されるため、軸本体４３０を介して巻取部材４３を前方に付勢する。
【００５０】
＜第二ケース６０＞
図５及び図７に示すように、第二ケース６０は、上壁部６４、一対の側壁６１，６２を備えている。上壁部６４は前後左右方向に延びる壁部であり、且つ前後方向に長い矩形状である。
【００５１】
＜検出部４６＞
図５に示すように、検出部４６は、第一側板部４７、第二側板部４８、及び巻バネ４６１を備えている。第一側板部４７と第二側板部４８とは、ケース３２の前方向の端部において、第一内面３４４と平行且つ前後方向と直交する直交方向の端部のうち右端部に配置され、前方向に延びる。第一側板部４７は、第二側板部４８の上側に配置されている。第一側板部４７は、その前端部に第一表示部４７３を備えている。第二側板部４８は、その前端部に第二表示部４８３を備えている。巻バネ４６１は、第一側板部４７と第二側板部４８とに係合して、第一側板部４７と第二側板部４８を付勢する。
【００５２】
＜第一側板部４７＞
図１０（Ａ）及び（Ｂ）に示すように、第一側板部４７は、第一腕部４７１、第一当接部４７２、第一表示部４７３、第一側板係合部４７４，４７５、及び第一バネ装着部４７６を備えている。第一表示部４７３は、第一側板部４７における前方向の端部に設けられている。第一腕部４７１は、前方向に延びる板状であり、第一表示部４７３よりも後方に位置する。第一腕部４７１の下部の前方向の端部に、上方に切り欠かれた切欠部４７７が形成されている。
【００５３】
第一当接部４７２は、第一腕部４７１の下部の一部から左方向に突出する部分である。第一当接部４７２は、図９に示す軸支部の４３１の軸部４３１Ｂの外周面に当接する。より詳細には、第一当接部４７２は、第一腕部４７１と平行に延設された左側面から見て横長の板部である。第一当接部４７２は、切欠部４７７よりも後方向側において、第一腕部４７１の下端から左方及び下方に突出する。第一当接部４７２は、第一腕部４７１の後端部のやや前方向側から、前方向に延びる。第一当接部４７２の前方向側の端部は、第二側板部４８の後述する第二腕部４８１の前後方向中央部のやや前方向側に位置する。第一当接部４７２の下面４７９は、前後方向に延びる面である。下面４７９の後端側に、傾斜面４７９Ａが形成され、下面４７９の前端側に傾斜面４７９Ｂが形成されている。下面４７９に、軸支部の４３１の軸部４３１Ｂの外周面が当接する。
【００５４】
下面４７９の後端部４７９Ｃから前端部４７９Ｄの間に、抵抗部４７９Ｅが形成されている。図１１に示すように、抵抗部４７９Ｅは、一例として、複数の凹凸４７９Ｆにより形成されている。一例として、凹凸４７９Ｆの稜線及び谷線は、左右方向に形成されている。後端部４７９Ｃ側の凸部の高さがＬ１、前端部４７９Ｄ側の凸部の高さがＬ２、ピッチがＬ３である場合には、例えば、Ｌ２がＬ１よりも大きく、凸部の高さは、後端部４７９Ｃ側から前端部４７９Ｄ側に向けて高くなってもよい。一例として、Ｌ１＝０．０３ｍｍ、Ｌ２＝０．０６ｍｍ、Ｌ３＝０．３ｍｍである。ピッチＬ３は、０．１〜２ｍｍが望ましい。また、凸部Ｌ１，Ｌ２の高さは、０．０１〜０．２ｍｍが望ましい。この場合には、抵抗部４７９Ｅは、下面４７９の後端部４７９Ｃから前端部４７９Ｄに向けて、摺動抵抗が増加する。従って、軸支部の４３１の軸部４３１Ｂの外周面が下面４７９の後端部４７９Ｃから前端部４７９Ｄまで移動する場合には、後端部４７９Ｃから前端部４７９Ｄに向けて摺動抵抗が増加する。抵抗部４７９Ｅの凹凸４７９Ｆは、弾性部材４５の付勢力と、液体収容体３１の剛性と、液体収容体３１の左右方向の横断面積に基づいて、決定されてもよい。
【００５５】
図９（Ｂ）に示す、軸支部の４３１の軸部４３１Ｂの外周面にも凹凸が形成されもよい。一例として、軸部４３１Ｂの外周面の凹凸のピッチは、抵抗部４７９Ｅと同一が望ましい、一例として、ピッチは、０．３ｍｍである。ピッチは、０．１〜２ｍｍが望ましい。凸部の高さは、一例として、０．０１〜０．２ｍｍが望ましい。
【００５６】
図１０（Ａ）及び図１０（Ｂ）に示すように、第一腕部４７１の前方向の端部に、左方に延びる壁部４７８が接続されている。第一表示部４７３は、壁部４７８の左端の下端部から前方向に延びる板状である。即ち、第一表示部４７３は、第一腕部４７１よりも左側に位置している。第一表示部４７３は、第一突出部４７３Ａと第二突出部４７３Ｂとを含む。第一突出部４７３Ａは、第一表示部４７３の第一方向の先端において下方に突出する部位である。第二突出部４７３Ｂは、第一突出部４７３Ａの後側において下方に突出する部位である。第二突出部４７３Ｂの下端は、第一突出部４７３Ａの下端よりも上方に位置する。
【００５７】
第一側板係合部４７４，４７５は、夫々、第一支持開口部５４１，５４２に係合する部位であり、前方向に離間して設けられている。第一支持開口部５４１，５４２は、図５及び図８に示すように、第一ケース３３の側壁５２に形成された切欠きである。第一側板係合部４７４は、第一腕部４７１の後方向の端部の上部に設けられている。第一側板係合部４７４は、第一腕部４７１から右方に突出し、右端において後方向に延びる。第一側板係合部４７５は、第一腕部４７１の前方向の端部の上部に設けられている。第一側板係合部４７５は、第一腕部４７１から右方に突出し、右端において前方向に延びる。
【００５８】
第一バネ装着部４７６は、第一側板係合部４７５の後方向側に設けられている。第一バネ装着部４７６は、第一腕部４７１の上端から左方に突出し、左端部が上方に延びる。第一バネ装着部４７６に、巻バネ４６１の上部（図５参照）が装着される。
【００５９】
＜第二側板部４８＞
図５に示すように、第二側板部４８は、第二腕部４８１、第二当接部４８２、第二表示部４８３、第二側板係合部４８４，４８５、第二バネ装着部（図示略）、及び突出部４８８を備えている。第二表示部４８３は、第二側板部４８における前方向の端部に設けられている。第二腕部４８１は、前方向に延びる板状であり、第二表示部４８３よりも後方向側に位置する。第二側板部４８の第二腕部４８１の前後方向の長さは、第一側板部４７の第一腕部４７１の前後方向の長さより長い。
【００６０】
第二当接部４８２は、第二腕部４８１の一部から左方に突出する。第二当接部４８２は、図９に示す軸支部の４３１の軸部４３１Ｂの外周面に当接する。より詳細には、第二当接部４８２は、第二腕部４８１の下端から左方に突出する。第二当接部４８２は、第二腕部４８１の後端部のやや前側から、前方向に延びる。第二当接部４８２の前方向の端部は、第二腕部４８１の前後方向中央部のやや前側である。突出部４８８は、第二腕部４８１の下端において第二当接部４８２の前方向側に設けられている。第二当接部４８２と突出部４８８とは前方向に離間している。
【００６１】
第二腕部４８１の前方向の端部に、左方に延びる壁部４８９が接続されている。第二表示部４８３は、壁部４８９の左端から前方向に延びる板状である。即ち、第二表示部４８３は、第二腕部４８１よりも左側に位置している。第二表示部４８３は、左側面視矩形状である。
【００６２】
第二側板係合部４８４，４８５は、夫々、第二支持開口部５５１，５５２に係合する部位であり、前方向に離間して設けられている。第二支持開口部５５１，５５２は、第一ケース３３の側壁５２に形成された切欠きである。第二側板係合部４８４は、第二腕部４８１の後方向の端部の下端に設けられており、第二腕部４８１から右方に突出する。第二側板係合部４８５は、第二腕部４８１の前方向の端部の下端に設けられており、第二腕部４８１から右方に突出する。
【００６３】
第二バネ装着部（図示略）は、第二側板係合部４８５の後方向側に設けられている。第二バネ装着部は、第二腕部４８１の下端から左方に突出し、左端部が下方に延びる。第二バネ装着部に、巻バネ４６１の下部が装着される。図５に示すように、巻バネ４６１は、上下方向に延びる。巻バネ４６１は、上端部に第一バネ装着部４７６に装着可能な環状のリングを備え、下端部に第二バネ装着部４８６に装着可能な環状のリングを備えている。
【００６４】
＜第一側板部４７と第二側板部４８とを支持する第一ケース３３の構造＞
図８に示すように、側壁５２に形成された第一支持開口部５４１，５４２相互間の距離は、第一側板部４７の第一側板係合部４７４，４７５（図１０（Ａ）、（Ｂ）参照）相互間の距離に対応している。第一支持開口部５４１，５４２は、上下方向に延びる切り欠きである。第一側板係合部４７４，４７５の先端部には、第一腕部４７１と平行に延設された爪部が、それぞれ形成されている。これらの爪部が第一支持開口部５４１，５４２の外側の側壁５２に引っかかる。従って、上下方向に延びる切り欠きである第一支持開口部５４１，５４２は、第一側板係合部４７４，４７５をそれぞれ上下方向に案内し、第一表示部４７３（図１０（Ａ）、（Ｂ）参照）が上下方向に移動可能に第一側板部４７を支持する。
【００６５】
側壁５２に形成された第二支持開口部５５１，５５２相互間の距離は、第二側板部４８の第二側板係合部４８４，４８５相互間の距離に対応している。第二支持開口部５５１，５５２は、第二表示部４８３が上下方向に移動可能に第二側板部４８を支持する。
【００６６】
第一側板係合部４７４，４７５が、第一支持開口部５４１，５４２に配置され、第二側板係合部４８４，４８５が第二支持開口部５５１，５５２に配置される。この配置において、巻バネ４６１は上下方向に引き伸ばされた延ばされた状態で第一バネ装着部４７６（図１０（Ａ）参照）と第二バネ装着部（図示外）とに装着される。巻バネ４６１は復元力によって第一バネ装着部４７６を下方に付勢し、第二バネ装着部を上方に付勢する。
【００６７】
図８示すように、下支持部５２４の上面は、ラック５２４Ａになっており、図９（Ａ）及び（Ｂ）に示す巻取部材４３の軸支部４３２が転がる転がり面である。ラック５２４Ａは、前方向に延設されている。図１２に示すように、第一当接部４７２は、ラック５２４Ａに対して、前方向に向かうほど下方に位置するように斜めに配置される。第二当接部４８２は、ラック５２４Ａに対して前方向に向かうほど上方に位置するように斜めに配置される。第一側板部４７と第二側板部４８とがそれぞれ側壁５２に配置された状態において、第二側板部４８の第二腕部４８１の上方に第一側板部４７の第一腕部４７１が位置する。第一当接部４７２は、第一腕部４７１及び第二腕部４８１より左側に配置されている。従って、第一当接部４７２の下面４７９は、第二当接部４８２の上面に対向して上方に位置する。第一当接部４７２の下面４７９及び第二当接部４８２の上面は、それぞれ前方向に移動する軸支部４３２の軸部４３１Ｂの外周面に当接する。
【００６８】
詳細は後述するが、ケース３２は、インクの残量に応じて第一表示部４７３と第二表示部４８３との上下方向の位置を移動させることで、インクの残量を表示できる。第一表示部４７３は下方位置（図１２（Ａ）及び図１３（Ａ）参照）と上方位置（図１４（Ａ）及び図１５（Ａ）参照）との間で移動する。第二表示部４８３は下方位置（図１３（Ａ）及び図１４（Ａ）参照）と上方位置（図１２（Ａ）及び図１５（Ａ）参照）との間で移動する。第一表示部４７３と第二表示部４８３の位置の組み合わせは、図１２〜図１５に示す第一状態から第四状態に変化する。プリンタ１は、第一光学検出部（図示略）及び第二光学検出部（図示略）を備える。第一光学検出部（図示略）及び第二光学検出部（図示略）は、夫々、発光部（図示略）と受光部（図示略）とを有している。カートリッジ装着部８にカートリッジケース３が装着されると、例えば、第一表示部４７３の第二突出部４７３Ｂが第一光学検出部の発光部の右側に配置され、第二突出部４７３Ｂが受光部の左側に配置される。また、第二表示部４８３が第二光学検出部の発光部の右側に配置され、第二表示部４８３が受光部の左側に配置される。
【００６９】
第一光学検出部の発光部が発光した光が受光部で検出される場合、第一光学検出部は「１」を出力する。第二光学検出部の発光部が発光した光が受光部で検出される場合、第二光学検出部は「１」を出力する。第一光学検出部の発光部が発光した光が第一表示部４７３又は第二表示部４８３によって遮られて受光部で検出されない場合、第一光学検出部は「０」を出力する。第二光学検出部の発光部が発光した光が第一表示部４７３又は第二表示部４８３によって遮られて受光部で検出されない場合、第二表示部４８３によって遮られて受光部で検出されない場合、第二光学検出部は「０」を出力する。プリンタ１のＣＰＵ（図示外）は、第一光学検出部及び第二光学検出部の出力値である「１」と「０」との組み合わせを検出することで、インクの残量を検出する。インクの残量の検出態様の詳細については後述する。
【００７０】
作業者は、カートリッジケース３の前端側から開口部１２０に挿し込み、カートリッジケース３をカートリッジ装着部８に装着する（図１参照）。この時、カートリッジケース３に収容された液体収容体３１の口栓７に配置されたゴム栓（図示略）に、液体収容体３１から液体を導出するための中空針（図示略）が刺さる。
【００７１】
第一光学検出部（図示略）が第一表示部４７３の近傍に配置され、第二光学検出部（図示略）が第二表示部４８３との近傍に配置される。図１２（Ｂ）に示すように、カートリッジケース３の液体収容体３１が未使用の状態では、図１２（Ａ）に示すように、巻取部材４３の軸支部４３２は、第一側板部４７と第二側板部４８よりも後方向側に位置する。従って、検出部４６は、巻バネ４６１（図５参照）の付勢力によって第一表示部４７３が下方位置にあり、第二表示部４８３は上方位置にある第一状態になる。この場合、第一光学検出部（図示略）の発光部（図示略）の光が第一表示部４７３の第二突出部４７３Ｂに遮られ、受光部（図示略）で受光されない。また、第二光学検出部（図示略）の発光部（図示略）の光が第二表示部４８３の下方を通過し、受光部で受光される。よって、第一光学検出部及び第二光学検出部の出力値の組み合わせは「０」、「１」となる。プリンタ１のＣＰＵは、第一光学検出部及び第二光学検出部の出力値を検出し、液体収容体３１のインクの残量を検出できる。
【００７２】
印刷動作が行われると、液体収容部１３３内のインクが中空針を介して液体収容体３１の外部に導出され、プリンタ１のノズルから吐出される。インクが導出されるのに伴って、弾性部材４５の付勢力によって、図１３（Ｂ）に示すように、巻取部材４３が液体収容体３１を巻き取りながら前方向に移動する。
【００７３】
図１３（Ａ），（Ｂ）に示すように、巻取部材４３は、軸支部４３２の軸部４３２Ｂ（図９（Ｂ）参照）の外周面が第二側板部４８の第二当接部４８２の上面に当接する第一中間位置まで移動する。第二当接部４８２は、ラック５２４Ａに対して前方向に向かうほど上方に位置するように斜めに配置されるので、軸支部４３２の軸部４３２Ｂの外周面が第二当接部４８２を下方に押すことによって、巻バネ４６１の付勢力に抗して、第二側板部４８の第二表示部４８３が左側面視時計回りに回動する。このため、検出部４６は、第一表示部４７３が下方位置にあり、第二表示部４８３が下方位置にある第二状態になる。この場合、第一光学検出部の発光部の光が第一表示部４７３の第二突出部４７３Ｂに遮られ、受光部で受光されない。また、第二光学検出部の発光部の光が第二表示部４８３に遮られ、受光部で受光されない。よって、第一光学検出部及び第二光学検出部の出力値の組み合わせは「０」、「０」となる。
【００７４】
印刷動作によってさらにインクが導出されると、図１４（Ａ），（Ｂ）に示すように、軸支部４３２の軸部４３２Ｂ（図９（Ｂ）参照）が第二当接部４８２の上面と第一当接部４７２の下面４７９とに当接する第二中間位置まで巻取部材４３が移動する。第一当接部４７２は、ラック５２４Ａに対して、前方向に向かうほど下方に位置するように斜めに配置されるので、軸支部４３２の軸部４３２Ｂ（図９（Ｂ）参照）の外周面によって第一当接部４７２の下面４７９が上方に押されることによって、巻バネ４６１の付勢力に抗して、第一側板部４７の第一表示部４７３が左側面視反時計回りに回動する。このため、検出部４６は、第一表示部４７３が上方位置にあり、第二表示部４８３が下方位置にある第三状態となる。この場合、第一光学検出部の発光部の光が第一表示部４７３の第二突出部４７３Ｂの下方を通過し、受光部で受光される。また、第二光学検出部（図示略）の発光部の光が第二表示部４８３に遮られ、受光部で受光されない。よって、第一光学検出部及び第二光学検出部の出力値の組み合わせは「１」、「０」となる。
【００７５】
印刷動作によってさらにインクが導出されると、図１５（Ａ），（Ｂ）に示すように、軸支部４３２の軸部４３２Ｂ（図９（Ｂ）参照）が第二当接部４８２と突出部４８８との間にあり、且つ、第一当接部４７２の下面４７９に当接した第三中間位置まで巻取部材４３が移動する。軸支部４３２の軸部４３２Ｂ（図９（Ｂ）参照）が第二当接部４８２と突出部４８８の両方に当接していないので、巻バネ４６１の付勢力によって、第二側板部４８の第二表示部４８３が、左側面視反時計回りに回動する。このため、検出部４６は、第一表示部４７３が上方位置にあり、第二表示部４８３が上方位置にある第四状態となる。この場合、第一光学検出部の発光部の光が第一表示部４７３の第二突出部４７３Ｂの下方を通過し、受光部で受光される。また、第二光学検出部の発光部の光が第二表示部４８３の下方を通過し、受光部で受光される。よって、第一光学検出部及び第二光学検出部の出力値の組み合わせは「１」、「１」となる。プリンタ１のＣＰＵは、第一光学検出部及び第二光学検出部の出力値を検出し、液体収容体３１のインクの残量を検出できる。ＣＰＵは、例えば、液体収容体３１の交換を作業者に促す表示を行う。
【００７６】
図１５（Ｂ）に示すように、軸支部４３２が第二当接部４８２と突出部４８８との間にある場合、巻取部材４３は液体収容袋１３の湾曲領域１４６に位置する。湾曲領域１４６は、湾曲領域１４６より後方向側の部位より巻き取り難いので、湾曲領域１４６において巻取部材４３の移動が停止する。巻取部材４３が停止した位置が、巻取部材４３の移動の終了位置となる。巻取部材４３の移動の終了位置は、図１５（Ｂ）に示す第三中間位置と同じでも、第三中間位置よりも前方向側であってもよい。
【００７７】
図１２（Ｂ）に示すように、液体収容体３１に収容されているインクが未消費の場合には、液体収容体３１は、上下方向に一定の厚みを持っている。この状態を、以下、「初期状態」という。液体収容体３１の左右方向の横断面積は、巻取部材４３の近傍及び口栓７の近傍を除き、一定の面積を持っている。以下、「初期横断面積」という。液体収容体３１内のインクの消費が進み、図１３（Ｂ）に示す第一中間位置まで、巻取部材４３による液体収容体３１の巻き取りが進んだ場合でも、液体収容体３１は、上下方向に一定の厚みを持っており、液体収容体３１の左右方向の横断面積は、巻取部材４３の近傍及び口栓７の近傍を除き、初期横断面積とほぼ同様の面積を持っている。従って、弾性部材４５が巻取部材４３に与える付勢力による液体収容体３１内のインクの圧力はインクが未消費の場合と略同一である。
【００７８】
次いで、液体収容体３１内のインクの消費が進み、図１４（Ｂ）に示す第二中間位置まで、巻取部材４３による液体収容体３１の巻き取りが進んだ場合には、液体収容体３１は、上下方向に一定の厚みが初期状態より薄くなり、液体収容体３１の左右方向の横断面積は、「初期横断面積」よりも小さくなる。巻取部材４３が液体収容体３１の液体へ与える圧力は、単位横断面積当たりの弾性部材４５の付勢力である。従って、液体収容体３１の左右方向の横断面積が小さくなると、弾性部材４５の付勢力が一定であっても液体収容体３１のインクの圧力が増加する。本実施の形態では、図１４（Ｂ）に示す第二中間位置からは、軸支部４３２の軸部４３２Ｂが抵抗部４７９Ｅに当接し、軸部４３２Ｂの前方向への移動に抵抗が与えられる。従って、巻取部材４３が液体収容体３１のインクへ与える力は、初期状態よりも弱くなる。この結果、インクの圧力は、抵抗部４７９Ｅが第一当接部４７２の下面４７９に設けられない場合に比べて、インクが未消費の場合のインクの圧力に近づく。よって、インクの圧力の変動幅は小さくなる。従って、ヘッドユニット１００，２００のヘッド部からのインクの吐出量が不安定になるおそれを低減できる。従って、印刷媒体への印刷の画質の低下を低減可能である。
【００７９】
さらに、液体収容体３１内のインクの消費が進み、図１５（Ｂ）に示す第三中間位置まで、巻取部材４３による液体収容体３１の巻き取りが進んだ場合には、液体収容体３１は、上下方向に一定の厚みが第二中間位置よりさらに薄くなり、左右方向の横断面積は、第二中間位置よりも小さくなる。抵抗部４７９Ｅの凹凸４７９Ｆは、前方に近づくにつれて大きくなっており、第二中間位置から第三中間位置まで、巻取部材４３が移動する間に、抵抗部４７９Ｅが軸部４３２Ｂの前方向への移動に与える抵抗は、前方向に近づくにつれて、増加する。従って、巻取部材４３が液体収容体３１のインクへ与える力は、凹凸４７９Ｆの大きさが変わらない場合に比べて、徐々に減少する。よって、液体収容体３１の左右方向の横断面積が小さくなっても、凹凸４７９Ｆの大きさが変わらない場合に比べて、インクの圧力が増加するおそれを低減でき、インクの圧力が安定する。従って、ヘッドユニット１００，２００のヘッド部からのインクの吐出量が不安定になるおそれを低減できる。従って、印刷媒体への印刷の画質の低下を低減可能である。
【００８０】
上記カートリッジケース３において、巻取部材４３の前方向への移動に応じて、巻取部材４３に接続された軸支部４３２の軸部４３２Ｂの外周面が、第一当接部４７２の抵抗部４７９Ｅの後端部４７９Ｃから前端部４７９Ｄまで摺動する。抵抗部４７９Ｅの後端部４７９Ｃから前端部４７９Ｄに向けて、軸部４３２Ｂの外周面に加えられる摺動抵抗が増加するので、弾性部材４５の付勢力によって前方向に移動する巻取部材４３から液体収容体３１へ作用する前方向への力が、抵抗部４７９Ｅが設けられていない場合よりも小さくなる。巻取部材４３による液体収容体３１の巻き取りが進み、液体収容体３１の左右方向の横断面積が小さくなっても、インクの圧力が増加するおそれを低減でき、インクの圧力の変動幅は小さくなる。従って、ヘッドユニット１００，２００のヘッド部からのインクの吐出量が不安定になるおそれを低減できる。従って、印刷媒体への印刷の画質の低下を低減可能である。
【００８１】
液体収容体３１を巻き取る巻取部材４３は、軸部４３２Ｂを備え、抵抗部４７９Ｅは、軸部４３２Ｂが接触する接触部である第一当接部４７２に設けられている。第一当接部４７２に設けられた抵抗部４７９Ｅにより、第一当接部４７２の下面４７９と巻取部材４３の軸部４３２Ｂとの間の抵抗が増加する。ケース３２の前方向の端部側において、前方向へ移動する巻取部材４３の軸部４３２Ｂに抵抗が加えられているので、液体収容袋１３の左右方向の横断面積が小さくなる状況において、より確実に、液体収容袋１３内のインクへの圧力の増加を低減し、インクの圧力の変動幅を小さくすることが出来る。巻取部材４３において、液体収容体３１と接触する部分以外の部位に抵抗が加えられているので、巻取の邪魔にならない。
【００８２】
また、抵抗部４７９Ｅは、凹凸４７９Ｆを設ける代わりに、ゴム板等を貼り付けた摩擦面としてしてもよい。この場合には、従来の第一側板部４７にゴム板等を貼りつけるだけで抵抗部を設けることができる。また、抵抗部４７９Ｅを設ける代わりに、弾性部材４５として可変荷重のバネを用いて、図１４（Ｂ）に示す第二中間位置まで巻取部材４３が移動した以後は、荷重が減少するようにしてもよい。
【００８３】
抵抗部４７９Ｅは、軸部４３２Ｂが接触する接触部である第一当接部４７２の下面４７９に設けられた凹凸４７９Ｆである。巻取部材４３の軸部４３２Ｂに、下面４７９の凹凸４７９Ｆが接触して抵抗が加えられる。軸部４３２Ｂへの接触面が凹凸なので、巻取部材４３の巻き取りは、凹凸４７９Ｆのピッチに従って均一に進む。従って、巻取部材４３の回転が安定し、液体収容袋１３内のインクに圧力変動を生じるおそれを低減できる。従って、ヘッドユニット１００，２００のヘッド部からのインクの吐出量が不安定になるおそれを低減できる。これに対して、抵抗部４７９Ｅに凹凸が設けられていない場合には、摩擦面間において付着・滑りを繰り返すスティックスリップ現象が生じる。従って、巻取部材４３の巻き取りは、不均一なピッチで進むので、液体収容袋１３内のインクの圧力変動が大きくなる。
【００８４】
巻取部材４３の軸部４３２Ｂの外周面形成された凹凸が、第一当接部４７２の下面４７９に設けられた凹凸４７９Ｆに噛み合うことにより、巻取部材４３の軸部４３２Ｂに抵抗が加えられる。第一当接部４７２の下面４７９及び軸部４３２Ｂの外周面の両方に凹凸が形成されるので、軸部４３２Ｂの外周面が下面４７９に付着しにくく、摩擦面間において付着・滑りを繰り返すスティックスリップ現象をさらに生じにくい。
【００８５】
軸部４３２Ｂの中心から下支持部５２４の上面に向かう方向から、抵抗部４７９Ｅは軸部４３２Ｂに接触する。下支持部５２４は、巻取部材４３の軸部４３２Ｂが転がる転がり面であるので、抵抗部４７９Ｅと軸部４３２Ｂは滑り接触となる。この結果、転がり接触である下支持部５２４の上面に抵抗部４７９Ｅを設けるよりも確実に巻取部材４３の前方向への移動の抵抗を発生させることが出来る。
【００８６】
巻取部材４３の軸部４３２Ｂが転がる転がり面は、第一方向に伸びるラック５２４Ａである。軸部４３２Ｂの縦断面の外周形状は、円形である。軸部４３２Ｂは、ラック５２４Ａ上を転がり、接触部である抵抗部４７９Ｅは、ラック５２４Ａと反対側において、軸部４３２Ｂに接触する。従って、軸部４３２Ｂが下支持部５２４上を滑らずに、確実に転がることができる。
【００８７】
抵抗部４７９Ｅは、前方向に向けて抵抗が増加する。従って、巻取部材４３による液体収容体３１の巻き取りが進み、液体収容体３１の左右方向の横断面積が小さくなっても、弾性部材４５の付勢力によって前方向に移動する巻取部材４３から液体収容体３１へ作用する前方向の力が、前方向に向けて減少する。従って、液体収容袋１３内のインクへの圧力の増加を低減し、インクの圧力の変動幅を小さくすることが出来る。尚、抵抗部４７９Ｅの抵抗は、前方向に向けて徐々に増加させてもよいし、階段状の増加でもよい。また、抵抗部４７９Ｅは凹凸４７９Ｆの有る領域と、無い領域の２領域を備えてもよい。この場合には、抵抗部４７９Ｅの前部を凹凸４７９Ｆの有る領域とし、後部を凹凸４７９Ｆの無い領域としてもよい。
【００８８】
第一側板部４７において、第一当接部４７２の下面４７９が巻取部材４３の軸部４３１Ｂに接触することにより、第一腕部４７１が前方向および第三方向である上方向に移動する。従って、第一表示部４７３が上方向に移動するに移動し、巻取部材４３の位置を表示する。抵抗部４７９Ｅは、第一側板部４７の第一当接部４７２の下面４７９に設けられているので、抵抗部４７９Ｅを第一側板部４７と別部材で設ける必要が無く、構造が複雑にならない。
【００８９】
本実施形態において、第一内面３４４が本発明の「第一面」の一例である。第一ケース３３が本発明の「ケース」の一例である。第一内面３４４が本発明の「第一面」の一例である。装着開口部３３９が本発明の「装着部」の一例である。軸部４３２Ｂが本発明の「軸部」の一例である。下面４７９が本発明の「接触部」の一例である。凹凸４７９Ｆが本発明の「接触部に設けられた凹凸」の一例である。ラック５２４Ａが本発明の「転がり面」の一例である。第一側板部４７と第二側板部４８とは本発明の「側板部」の一例である。第一表示部４７３と第二表示部４８３とは本発明の「表示部」の一例である。第二内面６４４が本発明の「第二面」の一例である。前端部３００が本発明の「第一方向の端部」の一例である。
【００９０】
なお、本発明は上記の実施形態に限定されるものではなく、種々の変更が可能である。例えば、第二ケース６０が設けられずにカートリッジケース３の上方が開放されていてもよい。また、抵抗部が第二当接部４８２に設けられていてもよい。巻取部材４３の軸部４３２Ｂが接触する接触部として、以下が考えられる。例えば、第二当接部４８２の上面に抵抗部が設けられてもよい。また、第二当接部４８２の左面に抵抗部が設けられてもよい。また、押え板２２０のスライド開口２２２に抵抗部が設けられてもよい。また、図７に示す第二ケース６０の軸部４３２Ｂの案内溝を形成するリブ６５の先端６５１に抵抗部が設けられてもよい。
【００９１】
弾性部材４５がケース３２内に設けられていたが、これに限定されない。また、軸部４３１Ｂが転がる下支持部５１４，５２４が、第一内面３４４側である下側に設けられていたが、上側に設けた支持部を、軸部４３１Ｂが転がり、下側に抵抗部を設けてもよい。例えば、図７に示す第二ケース６０の軸部４３２Ｂの案内溝を形成するリブ６５の先端６５１に軸支部４３２が転がるラックを設け、第一ケース３３の下支持部５２４に凹凸を設け、抵抗部としてもよい。また、抵抗部４７９Ｅは、下面４７９の後端部４７９Ｃからでなく途中から前端部４７９Ｄに向けて形成されてもよい。軸部４３２Ｂが、本発明の「接触部」としての下面４７９と接触したが、回転ギア４３２Ａと接触してもよい。この場合、回転ギア４３２Ａが本発明の「軸部」の一例である。回転ギア４３２Ａは、ピニオンギアでなくても、断面円形であってもよい。
【００９２】
また、図１６に示す第二実施形態のように、第二ケース６０の第二内面６４４に抵抗部６９を設けても良い。抵抗部６９は、一例として、第二内面６４４から第一内面３４４に向けて一定の厚みで突出し前後左右方向に所定の大きさを持つ部材から形成される。抵抗部６９の下面６９Ａには、凹凸を設けて摩擦面とすればよい。抵抗部６９の下面６９Ａが巻取部材４３に巻き取られた液体収容体３１の表面に当接して、巻取部材４３の前方向への移動に抵抗を与える。抵抗部６９の一例としては、第二内面６４４に貼り付けられた板状ゴムでもよい。また、抵抗部６９は第二ケース６０と一体に形成されてもよい。抵抗部６９の設けられる位置は、第一方向においては、第二ケース６０の第一当接部４７２と同じ位置で、第二ケース６０の左右方向の中央等に設ければよい。この場合には、第二ケース６０の第二内面６４４に突出部を設けるという簡単な構造で、抵抗部６９を実現できる。
【００９３】
抵抗部６９の下面６９Ａは、凹凸の高さを第一実施形態の抵抗部４７９Ｅと同様に変化させて、表面の摩擦抵抗が第一方向に向けて大きくなるようにしてもよい。また、抵抗部６９の下面６９Ａは、第一方向に向かうに連れて第一内面３４４に向けて傾斜するようにしてもよい。この場合には、第一方向に向けて抵抗部６９の抵抗を大きくできる。
【符号の説明】
【００９４】
３  カートリッジケース
１３  液体収容袋
３１  液体収容体
３２  ケース
３３  第一ケース
３７  口栓支持部
４３  巻取部材
４５  弾性部材
４７  第一側板部
４８  第二側板部
６０  第二ケース
６９  抵抗部
６９Ａ  下面
１００  ヘッドユニット
２００  ヘッドユニット
３００  前端部
３３９  装着開口部
３４４  第一内面
４３１，４３２  軸支部
４３１Ｂ，４３２Ｂ  軸部
４５０  前端部
４７１    第一腕部
４７２    第一当接部
４７３    第一表示部
４７９    下面
４７９Ｃ  後端部
４７９Ｄ  前端部
４７９Ｅ  抵抗部
４７９Ｆ  凹凸
４８３    第二表示部
５２４    下支持部
５２４Ａ  ラック
６４４    第二内面
【図１】
0006589525.tif 000002
【図２】
0006589525.tif 000003
【図３】
0006589525.tif 000004
【図４】
0006589525.tif 000005
【図５】
0006589525.tif 000006
【図６】
0006589525.tif 000007
【図７】
0006589525.tif 000008
【図８】
0006589525.tif 000009
【図９】
0006589525.tif 000010
【図１０】
0006589525.tif 000011
【図１１】
0006589525.tif 000012
【図１２】
0006589525.tif 000013
【図１３】
0006589525.tif 000014
【図１４】
0006589525.tif 000015
【図１５】
0006589525.tif 000016
【図１６】
0006589525.tif 000017